(57)【要約】【課題】メラトニン分泌の抑制を防止すると共に白色の色合いの光を実現することができるディスプレイ用ＬＥＤ光源を提供する。【解決手段】ピーク波長が４４０〜５３０ｎｍの光をカットし、ピーク波長が３８０〜４４０ｎｍの光を７０〜９０％、ピーク波長が５３０〜５５０ｎｍの光を５〜１０％、ピーク波長が５５０〜６８０ｎｍの光を１０〜２０％の範囲で組み合わせる。【選択図】図１
2015149454.tif 000002
【特許請求の範囲】
【請求項１】
ピーク波長が４４０〜５３０ｎｍの光をカットし、
ピーク波長が３８０〜４４０ｎｍの光を７０〜９０％、
ピーク波長が５３０〜５５０ｎｍの光を５〜１０％、
ピーク波長が５５０〜６８０ｎｍの光を１０〜２０％の範囲で組み合わせたことを特徴としたディスプレイ用ＬＥＤ光源。
【請求項２】
前記ピーク波長が４４０〜５３０ｎｍの光を、バンドパスフィルターを用いてカットすることを特徴とした請求項１に記載のディスプレイ用ＬＥＤ光源。
【発明の詳細な説明】
【技術分野】
【０００１】
本発明は、メラトニン分泌の抑制を防止するディスプレイ用ＬＥＤ光源に関する。
【背景技術】
【０００２】
従来より、照明光の色が人の睡眠に与える影響については、脳の松果体から分泌されるメラトニンが深く関与しているものと考えられている。特に、網膜には光感受性神経節細胞というものがあり、これは色を検知するのではなく、４４０〜５３０ｎｍの特定の波長の有無と、その強さだけを検知することが知られている。
【０００３】
また、高い演色性が得られると共に、状況に応じたメラトニン分泌の抑制効率の制御ができる光源装置を得るために、４７０〜５２０ｎｍの範囲にある青色光を制御し、４７０〜５２０ｎｍの範囲にある青色光を点灯状態にすることによりメラトニン分泌の抑制効率が得られ、それを消灯状態にすることによりメラトニン分泌の抑制効率が低くなる手法は知られている。（特許文献１）。
【０００４】
また、波長が４８０ｎｍ以下の可視光成分をほぼ０とすることによって、演色性とメラトニン分泌の非抑制の両立を図る手法も知られている。（特許文献２）
【先行技術文献】
【特許文献】
【０００５】
【特許文献１】特開２００７−１７３５５７号公報
【特許文献２】特開２０１０−１４７３３３号公報
【発明の概要】
【発明が解決しようとする課題】
【０００６】
しかしながら、特許文献１の光源装置には４４０〜５３０ｎｍの光が必ず含まれている。この部分の光こそが、ヒトのメラトニン分泌を抑制し、睡眠状態を悪化させてしまう本質的な原因部分である。そのため、４７０〜５２０ｎｍの範囲にある青色光をカットするだけではメラトニン分泌の抑制防止の効果が低いという課題があった。
【０００７】
また、特許文献２に記載の光源装置にも、４８０〜５２０ｎｍの光が含まれている。そして、波長が４８０ｎｍ以下の可視光成分を単純にカットするため、光が黄褐色の色合いとなり、ディスプレイ光源としては不適切であるという課題があった。
【０００８】
そこで、本発明は、上記事由に鑑みて為されたものであり、その目的は、メラトニン分泌の抑制を防止するとともに、白色の色合いの光を実現するディスプレイ用ＬＥＤ光源を提供することである。
【課題を解決するための手段】
【０００９】
本発明のディスプレイ用光源は、ピーク波長が４４０〜５３０ｎｍの光をカットし、ピーク波長が３８０〜４４０ｎｍの光を７０〜９０％、ピーク波長が５３０〜５５０ｎｍの光を５〜１０％、ピーク波長が５５０〜６８０ｎｍの光を１０〜２０％の範囲で組み合わせたことを特徴とする。
【００１０】
また、本発明のディスプレイ用光源は、ピーク波長が４４０〜５３０ｎｍの光を、バンドパスフィルターを用いてカットすることが好ましい。
【発明の効果】
【００１１】
本発明のディスプレイ用光源は、メラトニン分泌の抑制を防止することができるとともに、白色の色合いの光を実現するものである。
【図面の簡単な説明】
【００１２】
【図１】図１は、本発明の実施形態におけるディスプレイ用ＬＥＤ光源の装置の概略構成を示す図である。
【図２】図２は、本発明の実施形態におけるディスプレイ用ＬＥＤ光源の光のスペクトル図である。
【図３】図３は、ピーク波長が４４０〜５３０ｎｍの光をカットする前の実施形態におけるディスプレイ用ＬＥＤ光源の光のスペクトル図である。
【図４】図４は、ＬＥＤの通常の白色の光のスペクトル図である。
【図５】図５は、本発明の実施形態におけるディスプレイ用ＬＥＤ光源と従来例の光源とのメラトニン分泌の量の比較図である。
【発明を実施するための形態】
【００１３】
以下、本発明の実施形態を図面に基づいて説明する。
【００１４】
図１は、本発明の実施形態におけるディスプレイ用ＬＥＤ光源の装置１の概略構成を示す図である。図１に示すように本発明の実施形態におけるディスプレイ用光源は、ピーク波長が３８０〜５３０ｎｍの青色光を発光する第１の発光体Ｂ１と、ピーク波長が５３０〜５５０ｎｍの緑色光を発光する第２の発光体Ｇ１と、ピーク波長が５５０〜６８０ｎｍの赤色光を発光する第３の発光体Ｒ１と、光をカットするフィルター２と、発光強度を制御する制御ユニット３と、電源４を有する。また、図２は本発明の実施形態におけるディスプレイ用ＬＥＤ光源の光のスペクトル図である。この状態での光の色温度は１２５００Ｋであり、白色の光である。図２に示すように本発明の実施形態におけるディスプレイ用ＬＥＤ光源は、第１の発光体Ｂ１から発光されたピーク波長が３８０〜５３０ｎｍの光の中の、ピーク波長が４４０〜５３０ｎｍの部分の光をフィルター２でカットし、第１の発光体Ｂ１のピーク波長が３８０〜４４０ｎｍの光を７０〜９０％に増強させ、第２の発光体Ｇ１のピーク波長が５３０〜５５０ｎｍの光を５〜１０％、第３の発光体Ｒ１のピーク波長が５５０〜６８０ｎｍの光を１０〜２０％の範囲で組み合わせたものである。また、フィルター２はバンドパスフィルターである。
【００１５】
以下、本発明の実施形態におけるディスプレイ用ＬＥＤ光源の作り方と効果について詳細に説明する。
【００１６】
図３は、ピークが波長４４０〜５３０ｎｍの光がカットされる前の本発明の実施形態におけるディスプレイ用ＬＥＤ光源の光のスペクトル図である。この状態での光の色温度は１２５００Ｋである。また、図３に示した光は、ピーク波長が３８０〜５３０ｎｍの青色光が増強されているため、青色の光である。そして、フィルター２を用いることにより、増強されたピーク波長が３８０〜５３０ｎｍの青色光の中の、ピーク波長が４４０〜５３０ｎｍの部分の光がカットされ、図２に示した、ピーク波長が３８０〜４４０ｎｍの光を７０〜９０％、ピーク波長が５３０〜５５０ｎｍの光を５〜１０％、ピーク波長が５５０〜６８０ｎｍの光を１０〜２０％の範囲で組合わせた、白色の光を得ることになる。
【００１７】
また、図４はＬＥＤの通常の白色の光のスペクトル図である。この状態での光の色温度は４５００Ｋであり、白色の光である。図４の中のピーク波長が４４０〜５３０ｎｍの光が、ヒトのメラトニン分泌を抑制し、睡眠状態を悪化させてしまう本質的な原因部分である。しかし、この部分の波長域が単純にカットされただけの光では、黄褐色の色合いとなり、ディスプレイ光源としては不適切である。そこで、本発明の実施形態におけるディスプレイ用ＬＥＤ光源は、ピーク波長が３８０〜５３０ｎｍの青色光を全体的に増強させ、その中のピーク波長が４４０〜５３０ｎｍの部分の光をフィルター２でカットするものである。ピーク波長が４４０〜５３０ｎｍの部分の光がフィルター２でカットされるため、メラトニン分泌の抑制を防止することができる。また、残りのピーク波長が３８０〜４４０ｎｍの部分の光が増強されることにより、カットされた光の成分量が補われ、白色の色合いの光を実現することができる。つまり、本発明の実施形態におけるディスプレイ用ＬＥＤ光源は、メラトニン分泌の抑制を防止する効果を得る上に、適切な比率で赤色、緑色、青色の光を混合することにより、白色の色合いの光を実現することができる。
【００１８】
また、図５は、図２に示した本発明の実施形態におけるディスプレイ用ＬＥＤ光源Ａと、図４に示した通常の白色の光の光源Ｂとの、メラトニン分泌の量の比較図である。図５により、５００ルクスの照度の通常の白色の光の光源Ｂで、６時間過ごしてから就寝し、３時間経過後に実験者の唾液中メラトニン量を測定した。その結果、平均値は６．３ｐｇ（ピコグラム）であることが分かった。これに対して、５００ルクスの照度の本発明の実施形態におけるディスプレイ用ＬＥＤ光源Ａで、６時間過ごしてから就寝し、３時間経過後の実験者の唾液中メラトニン量を測定した。その結果、平均値は１１．２ｐｇ（ピコグラム）であることが分かった。図５により、本発明の実施形態におけるディスプレイ用ＬＥＤ光源のメラトニン分泌の抑制防止の効果は明らかにあることが分かる。
【００１９】
なお、上述の実施形態においてフィルター２はバンドパスフィルターであると記載しているが、その限りではない。また、上述の実施形態においてフィルター２は図１に示したように、第１の発光体Ｂ１、第２の発光体Ｇ１、第３の発光体Ｒ１をカバーする状態で特定範囲の波長の光をカットするが、その限りではなく、例えば第１の発光体Ｂ１の周辺だけをカバーさせてもよい。また、上述の実施形態において説明した各図は、模式的なものであり、各構成要素、実験データの数値が、必ずしも実際のものを反映しているとは限らない。また、実施形態に記載した材料、数値等は、好ましいものを例示しているだけであり、それに限定するものではない。更に、本発明は、その技術的思想の範囲を逸脱しない範囲で、構成に適宜変更を加えることが可能である。
【符号の説明】
【００２０】
１  装置
Ｂ１  第１の発光体
Ｇ１  第２の発光体
Ｒ１  第３の発光体
２  フィルター
３  制御ユニット
４  電源
Ａ  本発明の実施形態におけるディスプレイ用ＬＥＤ光源
Ｂ  図４に示した通常の白色の光の光源
【図１】
2015149454.tif 000003
【図２】
2015149454.tif 000004
【図３】
2015149454.tif 000005
【図４】
2015149454.tif 000006
【図５】
2015149454.tif 000007